(57)【要約】【課題】住宅の外にいる利用者が家電機器を遠隔操作したとしても、住宅の中にいる利用者が、その状況を把握することが可能になる。【解決手段】本発明に係る宅内設備制御装置４０は、遠隔操作に係る遠隔操作情報を受信する遠隔操作情報受信部４１と、遠隔操作情報受信部４１により遠隔操作情報が受信された場合、遠隔操作が行われた旨を通知する遠隔操作情報通知部４２と、を具備して構成される。【選択図】      図１
2016063295.tif 000002
【特許請求の範囲】
【請求項１】
遠隔操作に係る遠隔操作情報を受信する遠隔操作情報受信手段と、
前記遠隔操作情報受信手段により前記遠隔操作情報が受信された場合、遠隔操作が行われた旨を通知する遠隔操作情報通知手段と、を具備する宅内設備制御装置。
【請求項２】
前記遠隔操作情報通知手段は、宅内に在宅している人が視認可能な表示手段を具備し、
前記遠隔操作情報受信手段により前記遠隔操作情報が受信された場合、遠隔操作が行われた旨を前記表示手段に表示する請求項１記載の宅内設備制御装置。
【請求項３】
前記遠隔操作情報通知手段は、宅内に在宅している人が視聴可能な音声出力手段を具備し、
前記遠隔操作情報受信手段により前記遠隔操作情報が受信された場合、遠隔操作が行われた旨を前記音声出力手段にて音声を出力する請求項１又は２記載の宅内設備制御装置。
【請求項４】
遠隔操作に係る遠隔操作情報を受信し、
前記遠隔操作情報を受信した場合、遠隔操作が行われた旨を通知する遠隔操作方法。
【請求項５】
遠隔操作が行われたことを、宅内に在宅している人が視認可能な表示手段に表示する請求項４に記載の遠隔操作方法。
【請求項６】
遠隔操作が行われたことを、宅内に在宅している人が視聴可能な音声出力手段にて音声を出力する請求項４又は５記載の遠隔操作方法。
【発明の詳細な説明】
【技術分野】
【０００１】
本発明は、宅内設備制御装置及び遠隔操作方法に関し、特に、携帯端末を用いて住宅の家電機器を遠隔操作可能な宅内設備制御装置及び遠隔操作方法に関する。
【背景技術】
【０００２】
携帯電話、タブレット等の携帯端末を用いて、住宅の家電機器を操作するものとして、例えば、特許文献１には、エネルギー管理装置、エネルギー管理方法及びエネルギー管理システムが開示されている。この特許文献１記載の技術によれば、通信端末１１に負荷機器１６の運転状態を表示し、利用者に通信端末１１にて負荷機器１６の運転状態を把握させることが可能になる。
【０００３】
特許文献２には、情報報知システムが開示されている。この特許文献２記載の技術によれば、通信端末にて住宅Ｈ内で使用される電力消費機器の電力消費量を視覚化し、ユーザに電力消費機器の電力消費量を把握させることが可能になる。
【先行技術文献】
【特許文献】
【０００４】
【特許文献１】特開２０１４−０５０１５５号公報
【特許文献２】特開２０１３−１０２２８１号公報
【発明の概要】
【発明が解決しようとする課題】
【０００５】
ところで、上記特許文献１及び２記載の技術によれば、上述したように、住宅の外にいる利用者に通信端末にて負荷機器の運転状態を把握させることが可能になるが、通信端末にて家電機器が遠隔操作された場合における住宅の中にいる利用者への通知を行っていない。
【０００６】
これにより、上記特許文献１及び２記載の技術では、利用者が家電機器を遠隔操作したとしても、住宅の中にいる利用者は、その状況を把握することができないという課題がある。
【０００７】
このように、住宅の中にいる利用者が、遠隔操作された旨を知ることができないと、住宅の外にいる利用者と住宅の中にいる利用者との両者で家電機器への操作を行ってしまう可能性があるため、家電機器に不要な負荷をかけてしまう。
【０００８】
そこで、本発明の目的は、利用者が通信端末にて家電機器を遠隔操作したとしても、住宅の中にいる利用者が、その状況を把握することが可能な宅内設備制御装置及び遠隔操作方法を提供することにある。
【課題を解決するための手段】
【０００９】
上記目的を達成するために、本発明に係る宅内設備制御装置は、遠隔操作に係る遠隔操作情報を受信する遠隔操作情報受信手段と、上記遠隔操作情報受信手段により上記遠隔操作情報が受信された場合、遠隔操作が行われた旨を通知する遠隔操作情報通知手段と、を具備して構成される。
【００１０】
上記目的を達成するために、本発明に係る遠隔操作方法は、遠隔操作に係る遠隔操作情報を受信し、上記遠隔操作情報を受信した場合、遠隔操作が行われた旨を通知する。
【発明の効果】
【００１１】
本発明によれば、利用者が通信端末にて家電機器を遠隔操作したとしても、住宅の中にいる利用者が、その状況を把握することができる。
【図面の簡単な説明】
【００１２】
【図１】本発明の一実施形態（第１の実施形態）に係る宅内設備制御装置の構成を示す構成図である。
【図２】本発明の一実施形態（第１の実施形態）に係る宅内設備制御装置に実行させる処理のフローチャートを示す図である。
【図３】本発明の他の実施形態（第２の実施形態）に係る遠隔操作システムのシステム構成を模式的に示すシステム構成図である。
【図４】本発明の他の実施形態（第２の実施形態）に係る携帯端末の内部構成を示す内部構成図である。
【図５】本発明の他の実施形態（第２の実施形態）に係る制御サーバの内部構成を示す内部構成図である。
【図６】本発明の他の実施形態（第２の実施形態）に係るＨＥＭＳコントローラの内部構成を示す内部構成図である。
【図７】本発明の他の実施形態（第２の実施形態）に係る携帯端末に実行させる処理のフローチャートを示す図である。
【図８】表示部に表示させる制御指示内容の一例を示す図である。
【図９】携帯端末から制御サーバに送信する制御指示内容の一例を示す図である。
【図１０】本発明の他の実施形態（第２の実施形態）に係る制御サーバに実行させる処理のフローチャートを示す図である。
【図１１】本発明の他の実施形態（第２の実施形態）に係るＨＥＭＳコントローラに実行させる処理のフローチャートの一例を示す図である。
【図１２】ＨＥＭＳコントローラのＬＣＤに表示させる制御指示内容の一例を示す図である。
【図１３】本発明の他の実施形態（第２の実施形態）に係るＨＥＭＳコントローラに実行させる処理のフローチャートの他例を示す図である。
【発明を実施するための形態】
【００１３】
以下、図面を用いて、本発明の実施形態について説明する。
【００１４】
（第１の実施形態）
図１及び図２を用いて、本発明の一実施形態（第１の実施形態）について説明する。まず、図１を用いて、本実施形態に係る宅内設備制御装置４０の構成について説明する。図１は、本実施形態（第１の実施形態）に係る宅内設備制御装置４０の構成を示す構成図である。
【００１５】
図１に例示されるように、本実施形態の宅内設備制御装置４０は、遠隔操作情報受信部（遠隔操作情報受信手段）４１及び遠隔操作情報通知部（遠隔操作情報通知手段）４２を具備している。
【００１６】
この遠隔操作情報受信部４１は、遠隔操作に係る遠隔操作情報を受信する処理を行う。遠隔操作情報通知部４２は、遠隔操作情報受信部４１にて遠隔操作情報が受信された場合、遠隔操作が行われた旨を通知する処理を行う。
【００１７】
よって、本実施形態によれば、例えば、住宅の外にいる利用者が携帯端末にて家電機器を遠隔操作したとしても、住宅の中にいる利用者が、その状況を把握することができる。
【００１８】
なお、本実施形態では、住宅の外にいる使用者が携帯端末にて家電機器を遠隔操作した場合としたが、これに限定されず、住宅の中にいる利用者が携帯端末にて家電機器を遠隔操作した場合も同様に、住宅の中にいる他の利用者が、その状況を把握することができる。
【００１９】
（遠隔操作方法）
次に、図２を用いて、本実施形態に係る宅内設備制御装置４０に実行させる処理について説明する。図２は、本実施形態（第２の実施形態）の宅内設備制御装置４０に実行させるフローチャートを示す図である。
【００２０】
ステップＳ１において、宅内設備制御装置４０は、遠隔操作情報受信処理を行う。この処理において、宅内設備制御装置４０は、遠隔操作に係る情報を受信する処理を行う。
【００２１】
ステップＳ２において、宅内設備制御装置４０は、遠隔操作情報通知処理を行う。この処理において、宅内設備制御装置４０は、遠隔操作が行われた旨を通知する処理を行う。
【００２２】
よって、本実施形態によれば、例えば、住宅の外にいる利用者が通信端末にて家電機器を遠隔操作したとしても、住宅の中にいる利用者が、その状況を把握することができる。
【００２３】
（第２の実施形態）
図３乃至図１３を用いて、本発明の他の実施形態（第２の実施形態）について説明する。まず、図３を用いて、本実施形態の遠隔操作システムのシステム構成ついて説明する。図３は、本実施形態（第２の実施形態）に係る遠隔操作システムのシステム構成を模式的に示すシステム構成図である。
【００２４】
図３に例示されるように、本実施形態の遠隔操作システムは、携帯端末１０１、制御サーバ１０２、ＨＧＷ１０３、ＨＥＭＳコントローラ（宅内設備制御装置）１０４及び家電機器１０５を具備している。なお、ＨＧＷとは、Ｈｏｍｅ  ＧａｔｅＷａｙの略である。また、ＨＥＭＳとは、Ｈｏｍｅ  Ｅｎｅｒｇｙ  Ｍａｎａｇｅｍｅｎｔ  Ｓｙｓｔｅｍの略である。
【００２５】
本実施形態において、携帯端末１０１と制御サーバ１０２との間は、インターネット、例えば、ＨＴＴＰにより相互に通信可能とする。なお、ＨＴＴＰとは、Ｈｙｐｅｒｔｅｘｔ  Ｔｒａｎｓｆｅｒ  Ｐｒｏｔｏｃｏｌの略である。また、制御サーバ１０２とＨＥＭＳコントローラ１０４との間は、ＨＧＷ１０３を介してインターネット、例えば、ＨＴＴＰ接続により相互に通信可能とする。また、ＨＥＭＳコントローラ１０４と家電機器１０５ａ、家電機器１０５ｂとの間は、ＨＧＷ１０３を介してＬＡＮ等の宅内ネットワークにより相互に通信可能とする。家電機器１０５は、例えば、ＥＣＨＯＮＥＴ  Ｌｉｔｅのように規格にしたがった制御を可能にしている。本実施形態では、ＨＥＭＳコントローラ１０４は、携帯端末１０１からの制御指示内容を表示するＬＣＤを具備している。なお、ＬＡＮとは、Ｌｏｃａｌ  Ａｒｅａ  Ｎｅｔｗｏｒｋの略である。また、ＬＣＤとは、Ｌｉｑｕｉｄ  Ｃｒｙｓｔａｌ  Ｄｉｓｐｌａｙの略である。
【００２６】
これら携帯端末１０１、制御サーバ１０２及びＨＥＭＳコントローラ１０４の具体的な説明については、図４乃至図６を用いて後述する。また、ＨＧＷ１０３は、公衆回線網と宅内ネットワーク網の橋渡しを行う。家電機器１０５ａ、家電機器１０５ｂは、宅内に設置された家電機器である。なお、これらＨＧＷ１０３及び家電機器１０５は、周知の技術であるので、具体的な説明については省略する。
【００２７】
（携帯端末１０１の構成）
次に、図４を用いて、本実施形態の携帯端末１０１の構成について説明する。図４は、本実施形態（第２の実施形態）に係る携帯端末１０１の内部構成を示す内部構成図である。
【００２８】
この携帯端末１０１は、携帯電話やタブレット等の端末である。図４に例示されるように、本実施形態において、携帯端末１０１には、宅内に設置された後述する家電機器１０５への制御指示を行うためのアプリケーションソフトウェア等を表示する表示部２０１が設けられている。
【００２９】
また、携帯端末１０１には、利用者がアプリケーションソフトウェアにより、宅内に設置された家電機器１０５の制御指示を行うための入力部２０２が設けられている。
【００３０】
また、携帯端末１０１には、入力部２０２で入力された制御指示を制御サーバ１０２が受信可能なデータ形式に変換するデータ変換部２０３が設けられている。また、携帯端末１０１には、データ変換部２０３にて変換した制御指示を制御サーバ１０２へ送信するための通信部２０４、及び携帯端末１０１の各部位を制御するための制御部２０５が設けられている。
【００３１】
（制御サーバ１０２の構成）
次に、図５を用いて、本実施形態の制御サーバ１０２の構成について説明する。図５は、本実施形態（第２の実施形態）に係る制御サーバ１０２の内部構成を示す内部構成図である。
【００３２】
制御サーバ１０２は、携帯端末１０１から受信した家電機器１０５への制御指示を蓄積するサーバである。本実施形態において、制御サーバ１０２には、携帯端末１０１からの制御指示を蓄積するためのデータ記憶部３０１が設けられている。
【００３３】
また、制御サーバ１０２には、携帯端末１０１からの制御指示の受信、及びデータ記憶部３０１に蓄積した制御指示に関し、ＨＧＷ１０３を介してＨＥＭＳコントローラ（宅内設備制御装置）１０４に送信するための通信部３０２が設けられている。また、制御サーバ１０２には、この制御サーバ１０２の各部位を制御するための制御部３０３が設けられている。
【００３４】
（ＨＥＭＳコントローラ１０４）
次に、図６を用いて、本実施形態のＨＥＭＳコントローラ１０４の構成について説明する。図６は、本実施形態（第２の実施形態）に係るＨＥＭＳコントローラ１０４の内部構成を示す内部構成図である。
【００３５】
このＨＥＭＳコントローラ１０４は、制御サーバ１０２から制御指示を受信し、受信した制御指示の内容に従って宅内に設置された家電機器１０５の制御を行う。
【００３６】
本実施形態において、ＨＥＭＳコントローラ１０４には、図６に例示されるように、制御サーバ１０２から受信した要求を解析する解析部４０１が設けられている。また、ＨＥＭＳコントローラ１０４には、解析部４０１で解析した解析結果に基づいて、携帯端末１０１からの制御指示の詳細を住宅の中にいる人が認識可能な形式で視覚的に表示するための表示部４０２が設けられている。
【００３７】
また、ＨＥＭＳコントローラ１０４には、携帯端末１０１から制御指示があったことを住宅の中にいる人にブザー鳴動で通知するためのブザー鳴動部４０３が設けられている。また、ＨＥＭＳコントローラ１０４には、制御サーバ１０２から受信した制御指示を家電機器１０５が認識可能な形式に変換するためのデータ変換部４０４が設けられている。
【００３８】
また、ＨＥＭＳコントローラ１０４には、ＨＧＷ１０３を介して制御サーバ１０２に蓄積された家電機器１０５の制御指示をネットワーク経由で受信したり、家電機器１０５にネットワーク経由で制御指示を送信するための通信部４０５が設けられている。また、ＨＥＭＳコントローラ１０４には、このＨＥＭＳコントローラ１０４の各部位を制御するための制御部４０６が設けられている。
【００３９】
このように、本実施形態では、携帯端末１０１から家電機器１０５への遠隔操作が行われた場合、その旨をＨＥＭＳコントローラ１０４にて通知している。
【００４０】
よって、本実施形態では、携帯端末１０１から家電機器１０５が遠隔操作されたとしても、住宅の中にいる利用者が、その状況を把握することができる。
【００４１】
（携帯端末処理）
次に、図７乃至図９を用いて、本実施形態の携帯端末１０１に実行させる処理について説明する。図７は、本実施形態（第２の実施形態）に係る携帯端末１０１に実行させる処理のフローチャートを示す図である。図８は、表示部２０１に表示させる制御指示内容の一例を示す図である。図９は、携帯端末１０１から制御サーバ１０２に送信する制御指示内容の一例を示す図である。
【００４２】
この処理では、利用者が携帯端末１０１を用いて、この携帯端末１０１から制御サーバ１０２に家電機器１０５の制御指示内容を送信するまでの処理が行われる。
【００４３】
ステップＳ６０１において、携帯端末１０１は、この携帯端末１０１の表示部２０１に、家電機器１０５の制御指示内容を入力するための画面を表示する処理を行う（図８参照）。なお、図８に例示されるように、表示部２０１には、家電機器１０５のＯＮ／ＯＦＦ、運転モード、設定温度が表示される。
【００４４】
ステップＳ６０２において、利用者が入力部２０２を操作し、家電機器１０５への制御指示内容を入力する（図８参照）。なお、図８に例示されるように、家電機器１０５のＯＮ／ＯＦＦをＯＮとし、運転モードを暖房とし、設定温度を２５℃としている。
【００４５】
ステップＳ６０３において、携帯端末１０１は、上記ステップＳ６０２にて入力された家電機器１０５への制御指示内容を、制御サーバ１０２が識別可能な形式に変換する（図９参照）。なお、図９に例示されるように、制御対象となる家電機器１０５の機器名、家電機器１０５のＭＡＣアドレス、設定温度＝２５℃、運転モード＝暖房、ＯＮ／ＯＦＦ＝ＯＮとなる。
【００４６】
ステップＳ６０４において、携帯端末１０１は、上記ステップＳ６０３にて変換した制御指示内容を通信部２０４にて制御サーバ１０２に送信する処理を行う。
【００４７】
（制御サーバ処理）
次に、図１０を用いて、本実施形態の制御サーバ１０２に実行させる処理について説明する。図１０は、本実施形態（第２の実施形態）に係る制御サーバ１０２に実行させる処理のフローチャートを示す図である。
【００４８】
この処理では、携帯端末１０１から制御指示内容を制御サーバ１０２が受信し、制御サーバ１０２が、この制御指示内容をＨＥＭＳコントローラ１０４に送信するまでの処理が行われる。
【００４９】
ステップＳ８０１において、制御サーバ１０２は、通信部３０３にて携帯端末１０１から受信した制御指示内容をデータ記憶部３０１に蓄積する処理を行う。
【００５０】
ステップＳ８０２において、制御サーバ１０２は、データ記憶部３０１に制御指示内容を蓄積済みであるか否かを判定する。この処理において、制御サーバ１０２は、データ記憶部３０１に制御指示内容を蓄積済みであると判定した場合には、ステップＳ８０３に処理を移す。一方、この処理において、制御サーバ１０２は、データ記憶部３０１に制御指示内容を蓄積済みでないと判定した場合には、今回の処理を終了する。
【００５１】
ステップＳ８０３において、制御サーバ１０２は、上記ステップＳ８０２にてデータ記憶部３０１に制御指示内容を蓄積済みであると判定された場合、データ記憶部３０１から制御指示内容を取得する処理を行う。
【００５２】
ステップＳ８０４において、制御サーバ１０２は、上記ステップＳ８０３にて取得した制御指示内容をＨＥＭＳコントローラ１０４に送信する処理を行う。
【００５３】
（ＨＥＭＳコントローラ処理）
次に、図１１乃至図１３を用いて、本実施形態のＨＥＭＳコントローラ１０４に実行させる処理について説明する。この処理では、制御サーバ１０２からＨＥＭＳコントローラ１０４が制御指示内容を受信し、この制御指示内容をＬＣＤに表示して家電機器１０５を制御するまでの処理が行われる。
【００５４】
まず、図１１及び図１２を用いて、上述のＨＥＭＳコントローラ１０４に実行させる処理の一例を説明する。図１１は、本実施形態（第２の実施形態）に係るＨＥＭＳコントローラ１０４に実行させる処理を示すフローチャートの一例を示す図である。図１２は、ＨＥＭＳコントローラ１０４のＬＣＤに表示させる制御指示内容の一例を示す図である。
【００５５】
ステップＳ９０１において、ＨＥＭＳコントローラ１０４は、制御サーバ１０２から制御指示内容を受信したか否かを判定する。この処理において、ＨＥＭＳコントローラ１０４は、制御サーバ１０２から制御指示内容を受信したと判定した場合には、ステップＳ９０２に処理を移す。一方、この処理において、ＨＥＭＳコントローラ１０４は、制御サーバ１０２から制御指示内容を受信していないと判定した場合には、今回の処理を終了する。
【００５６】
ステップＳ９０２において、ＨＥＭＳコントローラ１０４は、上記ステップＳ９０１にて制御指示内容を受信したと判定した場合には、この制御指示内容をＬＣＤに表示する処理を行う（図１２参照）。なお、図１２に例示されるように、ＬＣＤには、制御対象となる家電機器１０５の機器名、家電機器１０５のＭＡＣアドレス、ＯＮ／ＯＦＦ、運転モード、設定温度、日時が表示される。
【００５７】
このように、本実施形態では、制御指示内容を受信したと判定した場合、制御指示内容をＬＣＤに表示している。すなわち、本実施形態では、携帯端末１０１から家電機器１０５への遠隔操作が行われた場合、その旨をＨＥＭＳコントローラ１０４にて通知しているといえる。
【００５８】
ステップＳ９０３において、ＨＥＭＳコントローラ１０４は、制御サーバ１０２から受信した制御指示内容を、家電機器１０５が認識可能な形式に変換する処理を行う。本実施形態では、ＥＣＨＯＮＥＴ  Ｌｉｔｅの制御電文形式に変換される。
【００５９】
ステップＳ９０４において、ＨＥＭＳコントローラ１０４は、上記ステップＳ９０３にて変換した制御指示内容を家電機器１０５に送信する処理を行う。
【００６０】
このように、本実施形態では、上記ステップＳ９０２にて、携帯端末１０１から家電機器１０５への遠隔操作が行われた場合、その旨をＨＥＭＳコントローラ１０４にて通知している。
【００６１】
よって、本実施形態では、携帯端末１０１から家電機器１０５が遠隔操作されたとしても、住宅の中にいる利用者が、その状況を把握することができる。
【００６２】
次に、図１３を用いて、上述のＨＥＭＳコントローラ１０４に実行させる処理の他例を説明する。図１３は、本実施形態（第２の実施形態）のＨＥＭＳコントローラ１０４に実行させる処理のフローチャートの他例を示す図である。
【００６３】
なお、この例では、住宅の中にいる人に携帯端末１０１から家電機器１０５が遠隔操作された旨を通知する通知手段として、ブザー鳴動部４０３を用いて音声で通知する点が異なり、他の点は同様である。
【００６４】
この処理では、上述したように、携帯端末１０１から家電機器１０５が遠隔操作された場合には、ＨＥＭＳコントローラ１０４が制御指示内容を受信し、ブザー鳴動部４０３を鳴動させるまでの処理が行われる。
【００６５】
ステップＳ１１０１において、ＨＥＭＳコントローラ１０４は、制御サーバ１０２から制御指示内容を受信したか否かを判定する。この処理において、ＨＥＭＳコントローラ１０４は、制御指示内容を受信したと判定した場合には、ステップＳ１１０２に処理を移す。一方、この処理において、ＨＥＭＳコントローラ１０４は、制御指示内容を受信していないと判定した場合には、今回の処理を終了する。
【００６６】
ステップＳ１１０２において、ＨＥＭＳコントローラ１０４は、上記ステップＳ１１０１にて制御指示内容を受信したと判定した場合には、この制御指示内容をブザー鳴動部４０３にて音声を出力する処理を行う。
【００６７】
ステップＳ１１０３において、ＨＥＭＳコントローラ１０４は、制御サーバ１０２から受信した制御指示内容を、家電機器１０５が識別可能な形式に変換する処理を行う。なお、本実施形態でも、上述の第２の実施形態と同様に、ＥＣＨＯＮＥＴ  Ｌｉｔｅの制御電文形式に変換される。
【００６８】
ステップＳ１１０４において、ＨＥＭＳコントローラ１０４は、上記ステップＳ１１０３にて変換した制御指示内容を家電機器１０５に送信する処理を行う。
【００６９】
このように、本実施形態では、携帯端末１０１から家電機器１０５への遠隔操作が行われた場合、その旨をＨＥＭＳコントローラ１０４にて通知している。
【００７０】
よって、本実施形態では、携帯端末１０１から家電機器１０５が遠隔操作されたとしても、住宅の中にいる利用者が、その状況を把握することができる。
【００７１】
また、本実施形態では、上述したように、携帯端末１０１から家電機器１０５への遠隔操作を通知する通知手段として、音声により通知している。これにより、本実施形態では、例えば、ＨＥＭＳコントローラ１０４から離れていたとしても、その状況を把握することができる。
【００７２】
なお、本実施形態の遠隔操作システムは、上述したように、携帯端末１０１、制御サーバ１０２、ＨＧＷ１０３、ＨＥＭＳコントローラ１０４及び家電機器１０５を具備して構成されているが、これに限定されず、例えば、住宅の中に人感センサを具備しても良い。
【００７３】
この場合、人感センサにより住宅の中に人がいる旨を検出した場合、人感センサから制御サーバ１０２に、その旨を通知すると良い。そして、制御サーバ１０２は、携帯端末１０１に住宅の中に人がいる旨を通知すると良い。
【００７４】
これにより、携帯端末１０１を所持している利用者は、住宅の中に人がいる旨を把握することが可能になり、例えば、携帯端末１０１からの不用意な遠隔操作を抑制することが可能になる。
【００７５】
また、この場合、制御サーバ１０２は、携帯端末１０１から遠隔操作が行われたとしても、ＨＥＭＳコントローラ１０４にその旨を送信しないようにしても良い。すなわち、住宅の中に人がいる場合には、携帯端末１０１からの遠隔操作に禁則をかけると良い。これにより、例えば、住宅の外にいる人と、住宅の中にいる人との間において、家電機器１０５への操作の競合を抑制することが可能になる。
【符号の説明】
【００７６】
４０    宅内設備制御装置
４１    遠隔操作情報受信部
４２    遠隔操作情報通知部
【図１】
2016063295.tif 000003
【図２】
2016063295.tif 000004
【図３】
2016063295.tif 000005
【図４】
2016063295.tif 000006
【図５】
2016063295.tif 000007
【図６】
2016063295.tif 000008
【図７】
2016063295.tif 000009
【図８】
2016063295.tif 000010
【図９】
2016063295.tif 000011
【図１０】
2016063295.tif 000012
【図１１】
2016063295.tif 000013
【図１２】
2016063295.tif 000014
【図１３】
2016063295.tif 000015